(57)【特許請求の範囲】
【請求項１】
直交周波数多重接続方式の移動通信システムにおける制御情報を伝送する方法であって、
周波数帯域に相応する資源割当情報を獲得する過程と、
前記周波数帯域に基づいて決定されるＣＣＥインデックスを使用し、前記周波数帯域に相応するＰＤＣＣＨを生成する過程と、
予め決定された周波数帯域を通じて前記生成されたＰＤＣＣＨを伝送する過程とを備えることを特徴とする制御情報を伝送する方法。
【請求項２】
前記周波数帯域に基づいて決定されるＣＣＥインデックスは、
前記ＰＤＣＣＨを構成するＣＣＥのうち第１のＣＣＥに関するインデックスであることを特徴とする請求項１記載の制御情報を伝送する方法。
【請求項３】
前記周波数帯域に基づいて決定されるＣＣＥインデックスは、
前記周波数帯域のインデックスによる昇順で決定されることを特徴とする請求項１記載の制御情報を伝送する方法。
【請求項４】
データ伝送のために複数の周波数帯域が設定された場合、前記周波数帯域に基づいて決定されるＣＣＥインデックスは、前記ＰＤＣＣＨを構成するＣＣＥのうち第１のＣＣＥインデックスであることを特徴とする請求項１記載の制御情報を伝送する方法。
【請求項５】
前記生成されたＰＤＣＣＨが、複数の周波数帯域にそれぞれ相応する複数のＰＤＣＣＨであり、前記複数の周波数帯域のうち一つの周波数帯域を通じて伝送される場合、前記周波数帯域に基づいて決定されるＣＣＥインデックスは、前記ＰＤＣＣＨを構成するＣＣＥのうち第１のＣＣＥインデックスであることを特徴とする請求項１記載の制御情報を伝送する方法。
【請求項６】
直交周波数分割多重接続方式の移動通信システムにおける制御情報を受信する方法であって、
予め決定された周波数帯域を通じて少なくとも一つのＰＤＣＣＨを受信する過程と、
前記受信した少なくとも一つのＰＤＣＣＨを通じて周波数帯域に相応する資源割当情報を獲得する過程とを含み、
前記少なくとも一つのＰＤＣＣＨを構成するＣＣＥインデックスは、周波数帯域に基づいて決定されることを特徴とする制御情報を受信する方法。
【請求項７】
前記周波数帯域に基づいて決定されるＣＣＥインデックスは、
前記ＰＤＣＣＨを構成するＣＣＥのうち第１のＣＣＥインデックスであることを特徴とする請求項６記載の制御情報を受信する方法。
【請求項８】
前記周波数帯域に基づいて決定されるＣＣＥインデックスは、
前記周波数帯域のインデックスによる昇順であることを特徴とする請求項６記載の制御情報を受信する方法。
【請求項９】
データ伝送のために複数の周波数帯域が設定された場合、前記周波数帯域に基づいて決定されるＣＣＥインデックスは、前記ＰＤＣＣＨを構成するＣＣＥのうち第１のＣＣＥインデックスであることを特徴とする請求項６記載の制御情報を受信する方法。
【請求項１０】
前記生成されたＰＤＣＣＨが、複数の周波数帯域にそれぞれ相応する複数のＰＤＣＣＨであり、前記複数の周波数帯域のうち一つの周波数帯域を通じて伝送される場合、前記周波数帯域に基づいて決定されるＣＣＥインデックスは、前記ＰＤＣＣＨを構成するＣＣＥのうち第１のＣＣＥインデックスであることを特徴とする請求項６記載の制御情報を受信する方法。
【請求項１１】
直交周波数分割多重接続方式の移動通信システムにおける制御情報を伝送する基地局であって、
周波数帯域に相応する資源割当情報を獲得し、前記周波数帯域に基づいてＣＣＥインデックスを決定し、前記決定されたＣＣＥインデックスを使用して、前記周波数帯域に相応するＰＤＣＣＨを生成するＰＤＣＣＨ生成器と、
予め決定された周波数帯域を通じて前記生成されたＰＤＣＣＨを伝送する伝送器とから構成されることを特徴とする基地局。
【請求項１２】
前記周波数帯域に基づいて決定されるＣＣＥインデックスは、
前記ＰＤＣＣＨを構成するＣＣＥのうち第１のＣＣＥに関するインデックスであることを特徴とする請求項１１記載の基地局。
【請求項１３】
前記周波数帯域に基づいて決定されるＣＣＥインデックスは、
前記周波数帯域のインデックスによる昇順で決定されることを特徴とする請求項１１記載の基地局。
【請求項１４】
データ伝送のために複数の周波数帯域が設定された場合、前記周波数帯域に基づいて決定されるＣＣＥインデックスは、前記ＰＤＣＣＨを構成するＣＣＥのうち第１のＣＣＥインデックスであることを特徴とする請求項１１記載の基地局。
【請求項１５】
前記生成されたＰＤＣＣＨが、複数の周波数帯域にそれぞれ相応する複数のＰＤＣＣＨであり、前記複数の周波数帯域のうち一つの周波数帯域を通じて伝送される場合、前記周波数帯域に基づいて決定されるＣＣＥインデックスは、前記ＰＤＣＣＨを構成するＣＣＥのうち第１のＣＣＥインデックスであることを特徴とする請求項１１記載の基地局。
【請求項１６】
直交周波数分割多重接続方式の移動通信システムにおける制御情報を受信する端末であって、
予め決定された周波数帯域を通じて少なくとも一つのＰＤＣＣＨを受信するＰＤＣＣＨ受信機と、
前記受信した少なくとも一つのＰＰＣＣＨを通じて周波数帯域に相応する資源割当情報を獲得する資源選択機と、
資源割当情報に基づいてデータを受信する周波数受信機とを含み、
前記少なくとも一つのＰＤＣＣＨを構成するＣＣＥインデックスは、周波数帯域に基づいて決定されることを特徴とする端末。
【請求項１７】
前記周波数帯域に基づいて決定されるＣＣＥインデックスは、
前記ＰＤＣＣＨを構成するＣＣＥのうち第１のＣＣＥインデックスであることを特徴とする請求項１６記載の端末。
【請求項１８】
前記周波数帯域に基づいて決定されるＣＣＥインデックスは、
前記周波数帯域のインデックスによる昇順であることを特徴とする請求項１６記載の端末。
【請求項１９】
データ伝送のために複数の周波数帯域が設定された場合、前記周波数帯域に基づいて決定されるＣＣＥインデックスは、前記ＰＤＣＣＨを構成するＣＣＥのうち第１のＣＣＥインデックスであることを特徴とする請求項１６記載の端末。
【請求項２０】
前記生成されたそれぞれのＰＤＣＣＨが、複数の周波数帯域にそれぞれ相応する複数のＰＤＣＣＨであり、前記複数の周波数帯域のうち一つの周波数帯域を通じて伝送される場合、前記周波数帯域に基づいて決定されるＣＣＥインデックスは、前記ＰＤＣＣＨを構成するＣＣＥのうち第１のＣＣＥインデックスであることを特徴とする請求項１６記載の端末。
【発明の詳細な説明】
【技術分野】
【０００１】
本発明は、直交周波数多重接続方式の移動通信システムの資源割当装置及び方法に関し、特に直交周波数多重接続方式の移動通信システムにおいて複数の周波数の資源を割り当てる方法及び装置に関する。
【背景技術】
【０００２】
現在、直交周波数分割多重（Orthogonal Frequency Division Multiplexing、以下、“ＯＦＤＭ”という）方式を利用する通信システムが開発されていて、３ＧＰＰ（3rd Generation Partnership Project）のＬＴＥ（Long Term Evolution）システムは、前記ＯＦＤＭ通信システムの１つになることができる。前記ＬＴＥシステムは、ダウンリンク制御チャネルとしてＰＤＣＣＨ（Packet Data Control CHannel：以下、ＰＤＣＣＨという）を使用し、前記ＰＤＣＣＨを利用してダウンリンク資源割当、アップリンク資源割当、及び放送制御チャネル伝送などを行うことができる。また、前記ＬＴＥシステムを拡張及び進化させたＬＴＥ−Ａ（Long Term Evolution-Advanced）システムは、前記ＬＴＥシステムの最大システム帯域である２０ＭＨｚを集めて最大１００ＭＨｚであるシステムを構成している。また、システム帯域幅の増加によって、前記ＬＴＥシステムの２０ＭＨｚ帯域をそのまま使用しながら、５個のＬＴＥ−Ａシステムに進化する方法を提案している。
【０００３】
図１及び図２を参照して従来のＬＴＥシステムとＬＴＥ−Ａシステムのダウンリンクを説明する。
【０００４】
前記ＬＴＥシステムをそのまま使用して４個のＬＴＥシステムを集めてＬＴＥ−Ａシステムを構成することができる。図１で、第１周波数ｆ１を使用するシステムを見れば、１つのサブフレームには、１４ＯＦＤＭシンボルで構成されていて、それらのうち最大３個のシンボルまで制御チャネルとして使用することができる。図１は、３個のシンボルを制御チャネルに使用することを例示として使用する。ここで、ＰＤＣＣＨは、チャネルの状況によって異なるＣＲ（Coding Rate）を使用して１、２、４、８個のＣＣＥ（Control Channel Element）で構成することができ、各々のＣＣＥは、９個のＲＥＧ（Resource Element Group）を使用し、各ＲＥＧは、４個のＯＦＤＭサブキャリアで構成されることができる。図１は、２個のＣＣＥを使用するＰＤＣＣＨを使用してダウンリンク資源を割り当てる例を図示している。前記ダウンリンク資源割当は、基地局がＰＤＣＣＨ内の資源割当情報を利用して端末に割り当てられた情報を提供する。サブキャリアｆ１、ｆ２、ｆ３、ｆ４を使用するＬＴＥ−Ａシステムは、各々の周波数、すなわちｆ１、ｆ２、ｆ３、ｆ４で独立したＰＤＣＣＨを利用してダウンリンク資源を割り当てる。すなわちｆ１のＰＤＣＣＨは、ｆ１のトラフィックチャネルの資源を割り当て、ｆ２のＰＤＣＣＨは、ｆ２のトラフィック資源を割り当てる。図１のシステムは、ＬＴＥシステムのすべての機能を再使用しながらさらに広い帯域のシステムを構成した例示である。ここで、２個のＣＣＥを使用するＰＤＣＣＨの用途であるダウンリンク資源割当は例示であり、アップリンク資源割当、ＭＩＭＯ機能を利用した資源割当などもすべて該当する。
【０００５】
図２は、各周波数帯域の制御チャネルの効率性を高めるために、１つの帯域ｆ４の制御チャネルであるＰＤＣＣＨを利用して全体帯域、すなわちｆ１、ｆ２、ｆ３、ｆ４の資源を割り当てる例を図示している。図２で、ＰＤＣＣＨは、周波数の資源割当のために、ＬＴＥシステムには存在しない周波数情報はＰＤＣＣＨに追加することによって、１つの端末のために伝送された複数のＰＤＣＣＨを区分し、該当する周波数帯域の資源を割り当てることができる。
【０００６】
しかし、前記のような資源割当方法は、１つの帯域の制御チャネルを利用して様々な帯域の資源を割り当てることができるが、既存のＬＴＥシステムにはない周波数を指定する情報を挿入しなければならないし、そのため、制御チャネルの情報量を増加させるという問題点がある。
【発明の概要】
【発明が解決しようとする課題】
【０００７】
本発明の実施形態による周波数分割多重接続方式の移動通信システムにおいて複数の周波数帯域の複数の資源割当のためのＰＤＣＣＨ伝送方法は、基地局が複数の周波数帯域に複数の資源を割り当てるための複数のＰＤＣＣＨをＣＣＥインデックスを使用して生成して伝送し、端末機が受信される複数のＰＤＣＣＨを復調した後、各ＰＤＣＣＨのＣＣＥインデックスを分析し、受信された複数の周波数帯域に複数の資源を認識することができる装置及び方法を提供する。
【課題を解決するための手段】
【０００８】
本発明の実施形態による直交周波数多重接続方式の移動通信システムにおいて基地局のＰＤＣＣＨ伝送方法は、周波数別に割り当てる資源情報を獲得する過程と、周波数別に資源割当のためのＰＤＣＣＨの数を決定する過程と、前記決定過程で１つの周波数で伝送すべきＰＤＣＣＨの数が複数個なら、複数の周波数帯域に複数の資源を割り当てるために複数のＰＤＣＣＨをＣＣＥインデックスを使用して生成して伝送する過程とを備えることを特徴とする。
【０００９】
また、本発明の実施形態による直交周波数多重接続方式の移動通信システムにおいて基地局のＰＤＣＣＨ伝送方法は、周波数別に割り当てる資源情報を獲得する過程と、周波数別に資源割当のためのＰＤＣＣＨの数を決定する過程と、前記決定過程で１つの周波数で伝送すべきＰＤＣＣＨの数が複数個なら、ＰＤＣＣＨのＣＣＥインデックス情報を利用して他の周波数に伝送するＰＤＣＣＨを選択する過程と、前記複数のＰＤＣＣＨを各々選択された周波数を利用して伝送する過程とを備えることを特徴とする。
【００１０】
また、本発明の実施形態による複数の周波数帯域で複数のＰＤＣＣＨを伝送する基地局装置を備えるＰＤＣＣＨ直交周波数多重接続方式の移動通信システムにおいて端末機の前記ＰＤＣＣＨ受信方法は、複数のＰＤＣＣＨを復調した後、ＣＣＥインデックスを分析して受信される複数のＰＤＣＣＨを順序化する過程と、順序化されたＰＤＣＣＨの周波数を整列してインデックスを生成する過程と、前記整列化された周波数帯域に割り当てられた資源を利用してデータを復調する過程とを備えることを特徴とする。
【００１１】
また、本発明の実施形態による複数の周波数帯域で複数のＰＤＣＣＨを伝送する基地局装置を備えるＰＤＣＣＨ直交周波数多重接続方式の移動通信システムにおいて端末機の前記ＰＤＣＣＨ受信方法は、複数のＰＤＣＣＨを復調する過程と、各ＰＤＣＣＨが伝送された資源のＣＣＥインデックスを数式
【数１】
0005480262.tif 000002
（Ｌ＿ＰＤＣＣＨは、ＰＤＣＣＨを構成するＣＣＥ束のＣＣＥ個数を意味し、Ｎ＿ｆｒｅｑは、支援する全体周波数の個数を示す）利用して分析し、ＰＤＣＣＨの周波数情報を獲得する過程と、前記周波数情報のＰＤＣＣＨを利用して周波数帯域の割り当てられた資源を利用してデータを復調する過程とを備えることを特徴とする。
【００１２】
また、本発明の実施形態による周波数分割多重接続方式の移動通信システムにおいて複数の周波数帯域の複数の資源割当のためのＰＤＣＣＨ伝送方法は、基地局が複数の周波数帯域に複数の資源を割り当てるための複数のＰＤＣＣＨをＣＣＥインデックスを使用して生成し伝送する過程と、端末機が前記基地局から受信された複数のＰＤＣＣＨを端末で受信して復調し、各ＰＤＣＣＨのＣＣＥインデックスを使用して端末が受信する複数の周波数帯域に複数の資源を認識する過程とを備えることを特徴とする。
【００１３】
また、本発明の実施形態による周波数分割多重接続方式の移動通信システムにおいて複数の周波数帯域に複数の資源割当のためのＰＤＣＣＨ伝送装置は、複数の周波数帯域に複数の資源を割り当てるための複数のＰＤＣＣＨをＣＣＥインデックスを使用して生成し伝送する基地局装置と、前記基地局装置から受信された複数のＰＤＣＣＨを受信して復調し、各ＰＤＣＣＨのＣＣＥインデックスを使用して受信する複数の周波数帯域に複数の資源を認識する端末機装置とを備えることを特徴とする。
【発明の効果】
【００１４】
前述したように、ＬＴＥシステムの複数のＰＤＣＣＨを使用して複数の周波数帯域に資源を割り当てることができ、別途の追加的な情報なしにＰＤＣＣＨのＣＣＥインデックス情報を利用して資源を割り当てることによって、効率的なシステムを製作することができる。
【図面の簡単な説明】
【００１５】
【図１】従来のＬＴＥシステムとＬＴＥ−Ａシステムのダウンリンク構造を説明するための図である。
【図２】従来のＬＴＥシステムとＬＴＥ−Ａシステムのダウンリンク構造を説明するための図である。
【図３】直交符号多重接続方式を使用する移動通信システムのダウンリンク制御チャネルの構成を説明するための図である。
【図４】本発明の第１実施形態によって複数の周波数帯域に資源を割り当てる方法を説明するための図である。
【図５】本発明の第２実施形態〜第４実施形態で複数の周波数帯域に資源を割り当てる方法を説明するための図である。
【図６】本発明の第２実施形態によって複数の周波数帯域に資源を割り当てる方法を説明するための図である。
【図７】本発明の第３実施形態によって複数の周波数帯域に資源を割り当てる方法を説明するための図である。
【図８】本発明の第４実施形態によって複数の周波数帯域に資源を割り当てる方法を説明するための図である。
【図９】本発明の実施形態によって様々な周波数の資源割当情報を有する複数のＰＤＣＣＨ伝送する基地局装置の構成を示す図である。
【図１０】本発明の第１実施形態によって基地局が複数のＰＤＣＣＨを端末に伝送する手続を示す流れ図である。
【図１１】本発明の第２実施形態によって基地局が複数のＰＤＣＣＨを端末に伝送する手続を示す流れ図である。
【図１２】本発明の第３実施形態によって基地局が複数のＰＤＣＣＨを端末に伝送する手続を示す流れ図である。
【図１３】本発明の第４実施形態によって基地局が複数のＰＤＣＣＨを端末に伝送する手続を示す流れ図である。
【図１４】本発明の実施形態によって複数の周波数帯域で複数のＰＤＣＣＨを受信する端末機の構成を示す図である。
【図１５】本発明の第１実施形態によって端末機が各周波数帯域に割り当てられて伝送されたＰＤＣＣＨを受信して処理する手続を示す流れ図である。
【図１６】本発明の第２実施形態によって端末機が各周波数帯域に割り当てられて伝送されたＰＤＣＣＨを受信して処理する手続を示す流れ図である。
【図１７】本発明の第３実施形態によって端末機が各周波数帯域に割り当てられて伝送されたＰＤＣＣＨを受信して処理する手続を示す流れ図である。
【図１８】本発明の第４実施形態によって端末機が各周波数帯域に割り当てられて伝送されたＰＤＣＣＨを受信して処理する手続を示す流れ図である。
【発明を実施するための形態】
【００１６】
以下、添付の図面を参照して本発明の好ましい実施形態の詳細な説明を説明する。図面において、同一の構成は、できるだけ同一の符号で示している。下記で、本発明を説明するにあたって関連された公知の機能または構成に対する具体的な説明が本発明の要旨を不明瞭にすることができると判断される場合には、その詳細な説明を省略する。そして、後述する用語は、本発明での機能を考慮して定義された用語であって、これは、ユーザ、運用者の意図または慣例などによって変わることができる。したがって、それは、本明細書の全般にわたった内容に基づいて定義されなければならない。
【００１７】
最近、移動通信システムにおいては、有無線チャネルで高速のデータ伝送に有用な方式として直交周波数分割多重（Orthogonal Frequency Division Multiplexing、以下、ＯＦＤＭという）方式について活発に研究されている。前記ＯＦＤＭ方式は、マルチキャリアを使用してデータを伝送する方式であって、直列に入力されるシンボル列を並列変換し、これら各々を相互直交性を有する多数のサブキャリア、すなわち多数のサブキャリアチャネルに変調して伝送するマルチキャリア変調（Multi-Carrier Modulation、ＭＣＭ）方式の一種である。
【００１８】
このようなマルチキャリア変調方式を適用するシステムは、１９５０年代後半に軍用通信に最初に適用され、多数の直交するサブキャリアを重畳させるＯＦＤＭ方式は、１９７０年代から発展し始めたが、マルチキャリア間の直交変調の実装が非常に難しかったので、実際システム適用に限界があった。しかし、１９７１年にＷｅｉｎｓｔｅｉｎなどが前記ＯＦＤＭ方式を使用する変復調としてＤＦＴ（Discrete Fourier Transform）を利用して効率的に処理が可能であることを発表しながらＯＦＤＭ方式に対する技術開発が急速に発展した。また、保護区間（guard interval）を使用し、保護区間に循環前置（Cyclic Prefix、ＣＰ）シンボルの挿入方式が知られながら多重経路及び遅延拡散（delay spread）に対するシステムの否定的影響をさらに減少させることができるようになった。
【００１９】
このような技術的発展に伴い、ＯＦＤＭ方式技術は、デジタルオーディオ放送（Digital Audio Broadcasting)、デジタルビデオ放送（Digital Video Broadcasting）、無線ＬＡＮ（Wireless Local Area Network）及び無線非同期伝送モード（Wireless Asynchronous Transfer Mode）などのデジタル伝送技術に幅広く適用されている。すなわち、ハードウェア的な複雑度（complexity）に起因して広く使用されなかったが、最近、高速フーリエ変換（Fast Fourier Transform、以下、ＦＦＴという）と逆高速フーリエ変換（Inverse Fast Fourier Transform、以下、ＩＦＦＴという）を含む各種デジタル信号処理技術が発展することによって実現可能になった。前記ＯＦＤＭ方式は、従来の周波数分割多重（Frequency Division Multiplexing）方式と類似しているが、なによりも多数個のサブキャリア間の直交性（orthogonality）を維持して伝送することによって、高速データ伝送時に最適の伝送効率を得ることができる特徴がある。また、ＯＦＤＭ方式は、周波数使用効率が良好であり、多重経路フェージング（multi-path fading）に強い特性があり、高速データ伝送時に最適の伝送効率を得ることができるという特徴がある。
【００２０】
ＯＦＤＭ方式の他の長所として、周波数スペクトルを重畳して使用するので、周波数使用が効率的であり、周波数選択的フェージング（frequency selective fading）に強く、多重経路フェージングに強く、保護区間を利用してシンボル間干渉（inter Symbol Interference、以下、ＩＳＩという）影響を低減することができ、ハードウェア的に等化器構造を簡単に設計することが可能である。また、ＯＦＤＭ方式は、インパルス性ノイズに強いという長所を有していて、通信システム構造に積極活用されることができる。
【００２１】
前述のようなＯＦＤＭを利用するシステムとしては、前述したように、３ＧＰＰ（3rd Generation Partnership Project）のＬＴＥ（Long Term Evolution）システムがある。ＬＴＥシステムでは、ダウンリンク制御チャネルとしてＰＤＣＣＨを使用し、ＰＤＣＣＨを利用してダウンリンク資源割当、アップリンク資源割当、放送制御チャネル伝送などに使用する。ＬＴＥシステムを拡張及び進化させたＬＴＥ−Ａ（Long Term Evolution-Advanced）システムは、前記ＬＴＥシステムの最大システム帯域である２０ＭＨｚを集めて最大１００ＭＨｚのシステムを構築していて、システム帯域幅の増加によって既存ＬＴＥシステムの２０ＭＨｚ帯域をそのまま使用しながら、５個のＬＴＥ−Ａシステムに進化する自然な進化方法を１つの方向に設定する。
【００２２】
図３は、ダウンリンク制御チャネルの構成を説明するための図である。
図３を参照すれば、ダウンリンク制御チャネルは、時間軸に最大３個のシンボルを有することができ、周波数軸にシステム帯域によって可変的なサブキャリア個数を有することができる。時間−周波数軸においてサブキャリア資源は、ＲＳ（Reference Signal）と呼ばれるパイロットサブキャリアを除いて４個ずつグループ化してＲＥＧを形成し、９個のＲＥＧは、ＣＣＥを形成し、１、２、４、８個のＣＣＥは、ＰＤＣＣＨを形成する。したがって、各々のＰＤＣＣＨは、ＣＣＥインデックスを有するＣＣＥを構成要素として有する。図３で、ＰＤＣＣＨ０は、ＣＣＥ９、１０（ＰＤＣＣＨ１は、ＣＣＥ１４、１５、ＰＤＣＣＨ２は１６、１７、ＰＤＣＣＨ３はＣＣＥ１９、２０）の２個のＣＣＥを構成要素とするＰＤＣＣＨの例を図示している。
【００２３】
本発明の実施形態では、ＰＤＣＣＨを構成するＣＣＥのうち第１のＣＣＥのインデックス情報を使用する。本発明は、複数の周波数帯域に資源を割り当てる装置及び方法に関し、３つの実施形態に区分して説明する。
【００２４】
図４は、本発明の第１実施形態によって複数の周波数帯域に資源を割り当てる方法を説明するための図である。
本発明の第１実施形態は、ＰＤＣＣＨのＣＣＥインデックス情報を使用して１つの端末に割り当てられた複数のＰＤＣＣＨの序列を作ることができる。この序列化されたＰＤＣＣＨは、各周波数の資源を割り当てるのに使用され、各ＰＤＣＣＨが各周波数のトラフィック資源を基地局で割り当てる方法は、次のように行うことができる。本発明においてＰＤＣＣＨは、ダウンリンクまたはアップリンク資源割当に使用され、ＭＩＭＯ（Multiple Input Multiple Output）のための資源割当をも含む。生成された複数のＰＤＣＣＨは、同一種類あるいは様々な種類のＤＣＩ（Downlink Control Indicator）を有することができる。例えば、ｆ１のためのＰＤＣＣＨは、ＳＩＳＯ（Single Input Single Output）用ダウンリンクグラント（grant）であり、ｆ２のためのＰＤＣＣＨは、ＭＩＭＯ（Multiple Input Multiple Output）であってもよい。但し、複数個のアップリンクあるいはダウンリンクで複数のＰＤＣＣＨを各々適用することができ、また、１つの端末のためのアップリンクとダウンリンクで複数のＰＤＣＣＨを同時に使用することもできる。
【００２５】
本発明の第１実施形態を行うための方法は、次の通りである。まず、基地局のスケジューラーから各周波数別に割り当てるべき資源情報を獲得する。二番目に、各周波数の制御チャネルの現状況によって各周波数別に資源割当のためのＰＤＣＣＨを何個伝送すべきかを決定する。三番目に、１個のＰＤＣＣＨを伝送する周波数は、当該周波数の制御チャネルにＰＤＣＣＨを伝送する。図４の参照番号４０で、ｆ３に伝送されたＰＤＣＣＨは、ｆ３に資源を割り当てることを意味する。四番目に、様々な周波数の資源割当のための複数のＰＤＣＣＨを伝送すべき当該周波数は、制御チャネルに複数のＰＤＣＣＨを伝送すべき周波数の序列によって順にＰＤＣＣＨを１周波数帯域に伝送する。
【００２６】
すなわち、図４の参照番号４０に示されたように、ｆ４にある制御チャネルを通じてｆ１、ｆ２、ｆ４の資源を割り当てるためには、ｆ１の資源割当をしようとするＰＤＣＣＨが複数のＰＤＣＣＨのうち最も少ないＣＣＥインデックスを使用し、ｆ２資源割当のためのＰＤＣＣＨは、その次に大きいＣＣＥインデックスを有するＰＤＣＣＨを使用し、ｆ４の資源を割り当てるためのＰＤＣＣＨは、複数のＰＤＣＣＨのうち最大のＣＣＥインデックスを有するＰＤＣＣＨを使用して伝送する。すなわち使用可能なＰＤＣＣＨを第１のＣＣＥのインデックスによって並べ、伝送できる周波数も基地局から知られた周波数のインデックスを活用して並べた後、図４の参照番号４５のように、一対一でマッチする。
【００２７】
１つの端末に伝送された複数のＰＤＣＣＨを端末で受信して解釈する方法は、次の通りである。図４の参照番号４０のように、端末は、ｆ３の制御チャネルで１個のＰＤＣＣＨを受信し、Ｆ４で３個のＰＤＣＣＨを受信した場合を仮定して説明する。
まず、１個のＰＤＣＣＨを伝送した周波数で当該周波数に資源を割り当てる。ここで、割り当てられた周波数は、他の周波数で伝送された複数のＰＤＣＣＨを利用して資源を割り当てる時に除外するようになる。二番目に、複数のＰＤＣＣＨをｆ４で受信した端末は、最も小さいＣＣＥインデックスを有するＰＤＣＣＨを最も小さい周波数のインデックスであるｆ１に割り当て、二番目に小さいＣＣＥインデックスを有するＰＤＣＣＨをｆ２に資源を割り当て、最後に伝送されたＰＤＣＣＨは、ｆ３を除いてｆ４に資源を割り当てる。
【００２８】
本発明の第１実施形態では、ＣＣＥインデックスを使用したＰＤＣＣＨの順序を使用して様々な周波数の資源を割り当てる。ここで、守るべき規則の１つは、多数のＰＤＣＣＨを有する周波数は、１つに制限する。すなわち、すべての周波数は、１つの端末のために１個のＰＤＣＣＨを有するか、または何らのＰＤＣＣＨを有することができない。また、１つの周波数だけが複数のＰＤＣＣＨを有することができる。様々な周波数で複数のＰＤＣＣＨを有するようになれば、ＰＤＣＣＨと周波数間のマッピング関係が複雑になる。前記規則は、第１実施形態のみに限定する。
【００２９】
図５は、本発明の第２実施形態によって複数の周波数帯域に資源を割り当てる方法を説明するための図である。
図５を参照すれば、本発明の第２実施形態は、１つの周波数にある複数のＰＤＣＣＨのＣＣＥインデックス情報を利用して他の周波数を正確に指示して資源割当をする装置及び方法を提案する。図５に示されたように、ＰＤＣＣＨを構成するＣＣＥは、１、２、４、８個の構成よりなり、ツリー構造で割り当てることができる。すなわち１個のＣＣＥを有するＰＤＣＣＨは、ＣＣＥインデックス０、１、２、３、…を有し、２個のＣＣＥを有するＰＤＣＣＨは、ＣＣＥインデックス０、２、４、８、…をＰＤＣＣＨを構成する第１のＣＣＥとして有し、３個のＣＣＥを有するＰＤＣＣＨは、ＣＣＥインデックス０、４、８、１２、…をＰＤＣＣＨを構成する第１のＣＣＥとして有し、４個のＣＣＥを有するＰＤＣＣＨは、ＣＣＥインデックス０、８、１６、…をＰＤＣＣＨを構成する第１のＣＣＥとして有する。
【００３０】
端末が復調をすべき区間は、制御チャネルの領域で共通復調区間と指定復調区間とに定義される。また、端末の電力消耗を低減するために、基地局は、１つの端末に伝送するＰＤＣＣＨを前記共通復調区間及び指定復調区間だけで伝送し、端末は、当該前記共通及び指定区間のデータを復調する。本発明では、端末に指定された区間で様々な周波数の資源割当を例示する。１周波数領域で複数のＰＤＣＣＨが伝送される下記数式１のような方法によりＰＤＣＣＨの周波数情報を指示する。
【００３１】
【数２】
0005480262.tif 000003
【００３２】
前記数式１で、Ｌ＿ＰＤＣＣＨは、ＰＤＣＣＨを構成するＣＣＥ束のＣＣＥ個数を意味する。すなわち４個のＣＣＥで構成される場合、Ｌ＿ＰＤＣＣＨは、４になることができる。Ｎ＿ｆｒｅｑは、支援する全体周波数の個数を示す。
前記数式１を使用して周波数情報を指示する例を説明する。
【００３３】
図６は、本発明の第２実施形態によって資源を割り当てる例を示す図である。図６で、参照番号６０は、周波数領域で複数のＰＤＣＣＨが伝送される例を示し、一部の周波数領域では、ＰＤＣＣＨが伝送されない例（ここでは、ｆ３及びｆ４帯域で複数のＰＤＣＣＨが伝送され、ｆ１及びｆ２帯域ではＰＤＣＣＨが伝送されない例）を図示している。また、図６で、参照番号６２は、Ｌ＿ＰＤＣＣＨが１であり、Ｎ＿ｆｒｅｑが４である場合の例示図であり、参照番号６４は、Ｌ＿ＰＤＣＣＨが２であり、Ｎ＿ｆｒｅｑが４である場合の例示図であり、参照番号６６は、Ｌ＿ＰＤＣＣＨが４であり、Ｎ＿ｆｒｅｑが４である場合の例示図である。
【００３４】
ここで、複数の周波数資源割当のために生成されたＰＤＣＣＨ周波数インデックスは、図６の参照番号６４に示されたように、Ｌ＿ＰＤＣＣＨが２であり、Ｎ＿ｆｒｅｑは４であると仮定する。すると、図６の参照番号６０に示されたように、２個のＣＣＥで構成されたＰＤＣＣＨの第１のＣＣＥは、０、２、４、６、８のインデックスを有し、前記数式１を利用すれば、表現可能な周波数であるＰＤＣＣＨ周波数インデックスは、０、１、２、３、０、１、２、３、０、１、２、３として生成されることができる。基地局から伝送された各周波数のインデックスが次のように定められたと仮定する。すなわちｉｎｄｅｘ０＝ｆ４、ｉｎｄｅｘ１＝ｆ３、ｉｎｄｅｘ２＝ｆ２、ｉｎｄｅｘ３＝ｆ１である。
【００３５】
第２実施形態の場合、基地局では、ＰＤＣＣＨ周波数インデックスを活用して様々な周波数の資源を割り当てることができる。すなわち、ｆ２の資源割当を希望すれば、複数のＰＤＣＣＨを伝送する時に、ＰＤＣＣＨ周波数インデックスが１のＰＤＣＣＨを使用して伝送する。
【００３６】
前記数式１の規則を利用して様々な周波数の資源を割り当てる本発明の第３実施形態の方法を説明する。図７は、本発明の第３実施形態によって資源を割り当てる例を示す図である。図７で、参照番号７０は、複数の周波数領域のうち一部の周波数領域では、１個のＰＤＣＣＨが伝送され、一部の周波数領域では、複数のＰＤＣＣＨが伝送される例（ｆ１及びｆ４領域では、複数のＰＤＣＣＨが伝送され、ｆ２及びｆ３領域では、１個のＰＤＣＣＨが伝送される例）を示していて、図７で、参照番号７５は、Ｌ＿ＰＤＤＣＨが２であり、Ｎ＿ｆｒｅｑが４である場合を示している。
【００３７】
第３実施形態の場合、１周波数領域で１個のＰＤＣＣＨが伝送された場合、前記数式１の規則によらず、ＰＤＣＣＨは、当該周波数領域の資源を割り当てる。また、１周波数領域で複数のＰＤＣＣＨが伝送された場合、前記数式１を満足させるＰＤＣＣＨを使用することによって、周波数を指示することができる。本発明の第３実施形態では、周波数インデックスを活用する時、１個のＰＤＣＣＨが伝送された周波数にも、他の周波数で複数のＰＤＣＣＨを利用して資源を割り当てることができる。
【００３８】
図８は、本発明の第４実施形態によって資源を割り当てる例を示す図である。本発明の第４実施形態は、前記第３実施形態で複数のＰＤＣＣＨが伝送された周波数での他の周波数に対する資源割当は、１個のＰＤＣＣＨが伝送された周波数は資源割当をすることができない。図８で、参照番号８０は、当該実施形態を説明し、図８で、参照番号８５は、ＰＤＣＣＨが１つ伝送された周波数を除いてＮ−Ｆｒｅｑが２になることが分かる。
【００３９】
前記システムで端末が検索すべきすべてのＣＣＥをデコーディングすることによって消耗される電力損失を低減するために、基地局は、１ビット情報を利用して端末に現在周波数帯域に複数のＰＤＣＣＨがあるか、１個のＰＤＣＣＨがあるかを最小のインデックスを有するＰＤＣＣＨに一緒に伝送することによって、端末の電力消耗をも低減することができる。
【００４０】
図９は、様々な周波数の資源割当情報を有する複数のＰＤＣＣＨを伝送する基地局装置の構成を示す図である。
図９を参照すれば、ＰＤＣＣＨ生成器１００は、システム情報を利用して各周波数帯域で伝送されるＰＤＣＣＨを生成する。送信機１１０〜１４０は、図示しないＰＤＳＣＨ（Physical Downlink Shared Channel）生成器で生成されたＰＤＳＣＨデータ及び前記生成されたＰＤＣＣＨデータをＩＦＦＴ変換した後、対応する周波数帯域に伝送する。ここで、図９は、ｆ１〜ｆ４周波数を使用する４個の送信機（Ｆ１〜Ｆ４送信機）の例を示している。また、前記送信機１１０〜１４０は、多数個のＰＤＣＣＨ伝送部１１１−１〜１１１−Ｎ、ＰＤＳＣＨ伝送部１０８、ＰＤＣＣＨ選択機１１２、ＩＦＦＴ１１３、ＣＰ（Cyclic Prefix）処理器１１４及びＲＦ送信部１１５などで構成されることができる。
【００４１】
前記Ｆ１送信機１１０を例として説明すれば、複数のＰＤＣＣＨ伝送部１１１−１〜１１１−Ｎは、ＰＤＣＣＨ生成器１００で生成される各々対応するＰＤＣＣＨデータを伝送するための形態のデータで処理し、ＰＤＣＣＨ選択機１１２は、前記前記ＰＤＣＣＨ伝送部１１１−１〜１１１−Ｎの出力のうち１つまたは複数のＰＤＣＣＨ出力を選択する。ＰＤＳＣＨ伝送部１１８は、ＰＤＳＣＨ生成器で生成されたＰＤＳＣＨデータを伝送形態のデータで処理する。ＩＦＦＴ１１３は、前記ＰＤＣＣＨ選択機１１２で出力されるＰＤＣＣＨ出力及びＰＤＳＣＨ伝送部１１８の出力をＩＦＦＴ変換し、ＣＰ処理器１１４は、前記ＩＦＦＴ変換されたデータにＣＰを付加し、ＲＦ送信部１１５は、前記ＣＰ処理器１１４の出力をＲＦ信号に変換して出力する。
【００４２】
ＰＤＣＣＨ伝送動作は、Ｆ１送信機１１０の例を取って説明する。複数のＰＤＣＣＨ伝送部１１１−１〜１１１−Ｎは、適切な伝送フォーマットでＰＤＣＣＨデータを伝送するために、ＰＤＣＣＨ発生器１００で出力される対応するＰＤＣＣＨデータを処理し、ＰＤＣＣＨ選択機１１２は、前記ＰＤＣＣＨ伝送部１１１−１〜１１１−Ｎの１つまたはそれ以上の出力を選択する。ＰＤＳＣＨ伝送部１１８は、適切な伝送フォーマットでＰＤＳＣＨデータを伝送するために、図示しないＰＤＳＣＨ発生器によってＰＤＳＣＨ発生器で出力されるＰＤＳＣＨデータを処理する。ＩＦＦＴ１１３は、ＰＤＣＣＨ選択機１１２によって選択されたＰＤＣＣＨデータ及びＰＤＳＣＨ伝送部１１８で出力されるＰＤＳＣＨデータをＩＦＦＴ変換し、ＣＰ処理器１１４は、前記ＩＦＦＴ変換データにＣＰを付加し、ＲＦ送信部１１５は、ＣＰ処理器１１４の出力を無線周波数信号に周波数上昇変換して出力する。
【００４３】
ここで、Ｆ２送信機〜Ｆ４送信機１２０〜１４０は、Ｆ１送信機１１０と同一の内部構成を有する。したがって、ＰＤＣＣＨ選択機１１２によって選択された各Ｆ１送信機〜Ｆ４送信機１１０〜１４０のＰＤＣＣＨデータ及びＰＤＳＣＨ送信機１１８で出力されるＰＤＳＣＨデータは、ＩＦＦＴ１１３によってＩＦＦＴ変換され、ＣＰ処理器１１４によってＣＰが付加され、ＲＦ送信機１１５によって周波数上昇変換され、対応する周波数帯域（例えばｆ１〜ｆ４帯域の１つ）を通じて伝送される。
【００４４】
図１０は、本発明の第１実施形態によって基地局が複数のＰＤＣＣＨを端末に伝送する手続を示す流れ図である。
図１０を参照すれば、まず、前記基地局装置は、段階２０２及び段階２０４で、現在周波数で伝送すべきＰＤＣＣＨの個数を検査する。ここで、前記ＰＤＣＣＨの個数は、２個以上（複数個）、１個または０個の場合などになることができる。ここで、前記伝送すべきＰＤＣＣＨがなければ、前記基地局装置は、前記段階２０２及び段階２０４を実行しながらこれを感知し、ＰＤＣＣＨ伝送手続を終了する。また、前記伝送するＰＤＣＣＨが１個なら、前記基地局装置は、前記段階２０２及び段階２０４を実行しながらこれを感知し、段階２０６で、現在周波数に該当する送信機を通じてＰＤＣＣＨを伝送し、ＰＤＣＣＨ伝送手続を終了する。
【００４５】
また、伝送すべきＰＤＣＣＨが２個以上の複数個である場合、前記基地局装置は、段階２０２でこれを感知し、段階２０８で、複数の周波数に資源割当のためのＰＤＣＣＨを当該周波数のリストで順序に合うようにＣＣＥインデックスを使用してＰＤＣＣＨの順序を配置し、段階２１０で、前記順序化された複数のＰＤＣＣＨを各々対応する周波数の送信機を通じて伝送する。すなわち、前記基地局装置は、複数のＰＤＣＣＨ伝送が必要な場合、複数の周波数に資源割当のためのＰＤＣＣＨを当該周波数のインデックスの順序に合うようにＣＣＥインデックスを使用してＰＤＣＣＨの順序を配置した後、これによって順序化された複数のＰＤＣＣＨを伝送する。ここで、前記基地局装置は、各周波数で１個のＰＤＣＣＨが伝送された周波数は、複数のＰＤＣＣＨが伝送される周波数では除外し、資源割当が必要な周波数リストを生成する。
【００４６】
図１１は、本発明の第２実施形態によって基地局が複数のＰＤＣＣＨを端末に伝送する手続を示す流れ図である。
図１１を参照すれば、まず、前記基地局装置は、段階３０２で、現周波数帯域で伝送されるＰＤＣＣＨの数が１個またはそれより小さいか否かを検査する。この時、伝送される周波数帯域が１個またはそれより小さければ、前記基地局装置は、段階３０４でＰＤＣＣＨの数が１個であるか否かを検査する。この時、伝送すべきＰＤＣＣＨがなければ、前記基地局装置は、ＰＤＣＣＨ伝送手続を終了する。また、前記伝送すべきＰＤＣＣＨが１個なら、前記基地局装置は、段階３０６で、現在周波数に該当する送信機を通じてＰＤＣＣＨを伝送し、ＰＤＣＣＨ伝送手続を終了する。しかし、伝送すべきＰＤＣＣＨが２個以上の複数個である場合、前記基地局装置は、段階３０２でこれを感知し、段階３０８で、複数の周波数に資源割当のためのＰＤＣＣＨを前記数式１を使用して該当周波数のインデックスを使用することができるＰＤＣＣＨを選択し、段階３１０で、生成された複数のＰＤＣＣＨを伝送した後、ＰＤＣＣＨ伝送手続を終了する。この時、前記資源を割り当てる過程で、前記基地局装置は、ＰＤＣＣＨを１個伝送する周波数にも複数のＰＤＣＣＨを割り当てられた周波数で資源割当が可能である。
【００４７】
すなわち、本発明の第２実施形態は、各周波数で伝送すべきＰＤＣＣＨの個数によって次のような動作を行う。仮に伝送すべきＰＤＣＣＨがなければ、ＰＤＣＣＨ伝送手続を終了する。仮に、伝送すべきＰＤＣＣＨが１個なら、現在の周波数に任意のＣＣＥインデックスを有するＰＤＣＣＨを１個伝送する。仮に、複数のＰＤＣＣＨを伝送しなければならない場合には、複数の周波数に資源割当のためのＰＤＣＣＨを前記数式１を使用して当該周波数のインデックスを使用することができるＰＤＣＣＨを選択し、生成された複数のＰＤＣＣＨを伝送する。
【００４８】
図１２は、本発明の第３実施形態によって基地局が複数のＰＤＣＣＨを端末に伝送する手続を示す流れ図である。
図１２を参照すれば、まず、前記基地局装置は、伝送すべきＰＤＣＣＨがなければ、前記基地局装置は、前記段階４０２及び段階４０４を実行しながらこれを感知し、ＰＤＣＣＨ伝送手続を終了する。また、前記伝送すべきＰＤＣＣＨが１個なら、前記基地局装置は、前記段階４０２及び段階４０４を実行しながらこれを感知し、段階４０６で、現在周波数に該当する送信機を通じてＰＤＣＣＨを伝送し、ＰＤＣＣＨ伝送手続を終了する。また、伝送すべきＰＤＣＣＨが２個以上の複数個である場合、前記基地局装置は、段階４０２でこれを感知し、段階４０８で、複数の周波数に資源割当のためのＰＤＣＣＨを前記数式１を使用して該当周波数のインデックスを使用することができるＰＤＣＣＨを選択し、段階４１０で、生成された複数のＰＤＣＣＨを伝送した後、ＰＤＣＣＨ伝送手続を終了する。この時、前記資源を割り当てる過程で、基地局装置は、ＰＤＣＣＨを１個伝送する周波数には資源割当をしない。すなわち、本発明の第３実施形態では、前記第２実施形態とは異なって、ＰＤＣＣＨを１個伝送する周波数では資源割当をしない。
【００４９】
すなわち、本発明の第３実施形態は、各周波数で伝送すべきＰＤＣＣＨの個数によって次のような動作をする。仮に伝送すべきＰＤＣＣＨがなければ、ＰＤＣＣＨ伝送手続を終了する。仮に伝送すべきＰＤＣＣＨが１個なら、現在の周波数に任意のＣＣＥインデックスを有するＰＤＣＣＨを１個伝送する。仮に複数のＰＤＣＣＨを伝送しなければならない場合は、複数の周波数に資源割当のためのＰＤＣＣＨを前記数式１を使用して当該周波数のインデックスを使用することができるＰＤＣＣＨを選択し、生成された複数のＰＤＣＣＨを伝送する。
【００５０】
図１３は、本発明の第４実施形態によって基地局が複数のＰＤＣＣＨを端末に伝送する手続を示す流れ図である。
図１３を参照すれば、基地局装置は、段階５０２で、現在周波数に伝送すべきＰＤＣＣＨがあるか否かを検査し、ない場合には、ＰＤＣＣＨ伝送手続を終了する。しかし、前記ＰＤＣＣＨがあれば、前記基地局装置は、段階５０４で、１個あるいは複数の周波数に資源割当のためのＰＤＣＣＨを前記数式１を使用して当該周波数のインデックスを使用することができるＰＤＣＣＨを選択し、段階５０６で、生成された複数のＰＤＣＣＨを伝送した後、前記ＰＤＣＣＨ伝送手続を終了する。
【００５１】
すなわち、本発明の第４実施形態は、複数のＰＤＣＣＨ伝送で様々な周波数帯域での資源を割り当てる。この時、伝送すべきＰＤＣＣＨがあれば、１個あるいは複数の周波数に資源割当のためのＰＤＣＣＨを前記数式１を使用して当該周波数のインデックスを使用することができるＰＤＣＣＨを選択し、生成された複数のＰＤＣＣＨを伝送する。
基地局装置のＰＤＣＣＨ伝送は、図９のような構成を有し、図１０〜図１３のような手続でＰＤＣＣＨを伝送する。すると、これを受信する端末機は、複数の周波数帯域に割り当てられて受信されるＰＤＣＣＨを受信して処理することができなければならない。
【００５２】
図１４は、本発明の実施形態によって複数の周波数帯域で複数のＰＤＣＣＨを受信する端末機の構成を示す図である。
図１４を参照すれば、端末機は、各々対応する周波数帯域の信号を受信する複数の受信機を備える。本発明の実施形態では、４個の周波数帯域信号を受信するＦ１受信機６１０〜Ｆ４受信機６４０を備えるものと仮定して説明する。前記Ｆ１受信機６１０の構成を説明すれば、ＲＦ受信機６１２は、基地局で伝送される当該周波数帯域のＲＦ（Radio Frequency）信号を受信し、基底帯域に変換（Downconversion）及びデジタルデータに変換（Analog to Digital conversion）する機能を行う。その後、ＣＰ除去機６１３は、ＲＦ受信機６１２で出力される信号からＣＰを除去し、ＦＦＴ処理部６１４は、前記基地局でＩＦＦＴ変換された信号を元々の信号にＦＦＴ変換する。複数のＰＤＣＣＨ受信部６１１−１〜６１１−Ｎは、前記ＦＦＴ処理部６１４の出力で各々割り当てられたＰＤＣＣＨ資源を受信して処理し、ＰＤＳＣＨ受信部６１６は、割り当てられたＰＤＳＣＨ資源を受信して処理する。周波数選択機６５０は、前記複数のＰＤＣＣＨ受信部６１１−１〜６１１−Ｎの出力で資源を割り当てるべき周波数を選択する。資源選択機６６０は、各周波数帯域に割り当てられた資源を利用してＰＤＳＣＨ復調に使用されることができるようにＦ１受信機１１０〜Ｆ４受信機１４０を制御する。
【００５３】
前述したように、端末機の各受信機は、基地局で伝送されるＲＦ信号を基底帯域に変換及びデジタル変換し、前記変換を経た信号は、ＣＰ除去機６１３及びＦＦＴ処理部６１４を通じて周波数領域の信号に変換される。その後、前記変換された信号のうちＰＤＣＣＨに割り当てられた資源は、ＰＤＣＣＨ受信部６１１−１〜６１１−Ｎを通じて処理され、ＰＤＳＣＨに割り当てられた資源は、ＰＤＳＣＨ受信部６１６を通じて処理される。この時、現在の周波数から１端末に受信された複数のＰＤＣＣＨは、本発明を利用して資源を割り当てるべき周波数を選択する周波数選択機６５０を経て資源選択機６６０で選択され、前記資源選択機６６０は、各周波数帯域の割り当てられた資源を利用してＰＤＳＣＨ復調に使用されることができるように各周波数の受信機、すなわちＦ２、Ｆ３、Ｆ４受信機に情報を提供する。
【００５４】
図１５は、本発明の第１実施形態によって各周波数帯域に割り当てられて伝送されたＰＤＣＣＨを処理する手続を示す流れ図である。
図１５を参照すれば、端末機は、段階７０２及び段階７０４で、現在周波数帯域で受信されたＰＤＣＣＨの個数が２個以上、１個または０個であるかを検査する。この時、前記端末機は、現在周波数帯域で受信されたＰＤＣＣＨがなければ、段階７０４で、これを感知し、ＰＤＣＣＨ処理手続を終了し、受信されたＰＤＣＣＨが１個なら、段階７０４でこれを感知し、段階７０６で、現在周波数にある１個のＰＤＣＣＨを利用して現在周波数帯域に割り当てられた資源を利用してデータ復調を実行して処理した後、ＰＤＣＣＨ処理手続を終了する。しかし、現在周波数帯域で受信したＰＤＣＣＨが複数個なら、端末機は、段階７０２でこれを感知し、段階７０８で、複数のＰＤＣＣＨを復調した後、ＣＣＥインデックスを使用してＰＤＣＣＨを順序化し、段階７１０で、１個のＰＤＣＣＨが伝送された周波数を除いて周波数を整列してインデックスを作った後、段階７１２で、順序化された複数のＰＤＣＣＨを利用して整列化された周波数帯域に割り当てられた資源を利用してデータ復調を実行した後、前記ＰＤＣＣＨ手続を終了する。
【００５５】
本発明の第１実施形態によるＰＤＣＣＨ処理方法の手続を説明すれば、端末機は、各周波数帯域で、まず、１端末で受信したＰＤＣＣＨの個数が０個なら処理手続を終了し、１個のＰＤＣＣＨを受信した場合には、現在周波数帯域にある１個のＰＤＣＣＨを利用して現在周波数帯域に割り当てられた資源でデータ復調を実行する。また、複数のＰＤＣＣＨを受信すれば、前記端末機は、１個のＰＤＣＣＨが伝送された周波数帯域を除いて残りの複数の使用可能な周波数を整列してインデックスを作った後、順序化された複数のＰＤＣＣＨを利用して整列化された周波数帯域で割り当てられた資源を利用してデータ復調を実行する。
【００５６】
図１６は、本発明の第２実施形態によって各周波数帯域に割り当てられて伝送されたＰＤＣＣＨを処理する手続を示す流れ図である。
図１６を参照すれば、端末機は、現在周波数帯域で受信されたＰＤＣＣＨがなければ、段階８０４でこれを感知し、ＰＤＣＣＨ処理手続を終了し、受信されたＰＤＣＣＨが１個なら、段階８０４でこれを感知し、段階８０６で、現在周波数にある１個のＰＤＣＣＨを利用して現在周波数帯域に割り当てられた資源を利用してデータ復調を実行して処理した後、ＰＤＣＣＨ処理手続を終了する。しかし、現在周波数帯域で受信したＰＤＣＣＨが複数個なら、端末機は、段階８０２でこれを感知し、段階８０８で、複数のＰＤＣＣＨを復調した後、段階８１０で、各ＰＤＣＣＨが伝送された資源の第１のＣＣＥインデックスを前記数式１を利用して各ＰＤＣＣＨが内包する周波数情報を獲得し、段階８１２で、前記周波数情報を有するＰＤＣＣＨを利用して当該周波数帯域に割り当てられた資源を利用してデータ復調を実行した後、前記ＰＤＣＣＨ手続を終了する。この時、前記端末機装置は、ＰＤＣＣＨを１個有する周波数も複数のＰＤＣＣＨを受け、資源割当の計算時に含むことに注意しなければならない。すなわち、前記端末機装置は、各ＰＤＣＣＨが内包する周波数情報を獲得する過程で、ＰＤＣＣＨを１個有する周波数をも含んで周波数情報を獲得する。
【００５７】
すなわち、図１６のような手続で実行される本発明の第２実施形態において、前記端末機は、まず、現在周波数帯域で受信したＰＤＣＣＨがなければＰＤＣＣＨ処理手続を終了し、１個のＰＤＣＣＨを受信したら、現在周波数にある１個のＰＤＣＣＨを利用して現在周波数帯域に割り当てられた資源でデータ復調を実行する。また、複数のＰＤＣＣＨを受信した場合、端末機は、複数のＰＤＣＣＨを復調する。また、各ＰＤＣＣＨが伝送された資源の第１のＣＣＥインデックスを前記数式１を利用して各ＰＤＣＣＨが内包する周波数情報を獲得し、前記周波数情報を有するＰＤＣＣＨを利用して当該周波数帯域に割り当てられた資源を利用してデータ復調を実行する。
【００５８】
図１７は、本発明の第３実施形態によって各周波数帯域に割り当てられて伝送されたＰＤＣＣＨを処理する手続を示す流れ図である。
図１７を参照すれば、端末機は、まず、段階９０２で、現在周波数帯域で受信されるＰＤＣＣＨの数が０個または１個として決定されれば、段階９０４で、現在周波数帯域で受信されるＰＤＣＣＨの数が１であるかを検査する。この時、現在周波数帯域で受信されたＰＤＣＣＨがなければ、段階９０４でこれを感知し、ＰＤＣＣＨ処理手続を終了し、受信されたＰＤＣＣＨが１個なら、段階９０４でこれを感知し、段階９０６で、現在周波数にある１個のＰＤＣＣＨを利用して現在周波数帯域に割り当てられた資源を利用してデータ復調を実行して処理した後、ＰＤＣＣＨ処理手続を終了する。しかし、現在周波数帯域で受信したＰＤＣＣＨが複数個なら、端末機は、段階９０２でこれを感知し、段階９０８で、複数のＰＤＣＣＨを復調した後、段階９１０で、各ＰＤＣＣＨが伝送された資源の第１のＣＣＥインデックスを前記数式１を利用して各ＰＤＣＣＨが内包する周波数情報を獲得し、段階９１２で、前記周波数情報を有するＰＤＣＣＨを利用して当該周波数帯域に割り当てられた資源を利用してデータ復調を実行した後、前記ＰＤＣＣＨ手続を終了する。この時、前記端末機装置は、ＰＤＣＣＨを１個有する周波数は、複数のＰＤＣＣＨを受け、資源割当の計算時に含まれないことに注意しなければならない。すなわち、前記第２実施形態とは異なって、前記端末機装置は、各ＰＤＣＣＨが内包する周波数情報を獲得する過程でＰＤＣＣＨ周波数を１個有する周波数は除外する。
【００５９】
すなわち、図１７のような手続で実行される本発明の第３実施形態において、前記端末機は、まず、現在周波数帯域で受信したＰＤＣＣＨがなければ、ＰＤＣＣＨ処理手続を終了し、１個のＰＤＣＣＨを受信したら、現在周波数にある１個のＰＤＣＣＨを利用して現在周波数帯域に割り当てられた資源を利用してデータ復調を実行する。また、複数のＰＤＣＣＨを受信した場合、端末機は、複数のＰＤＣＣＨを復調する。また、各ＰＤＣＣＨが伝送された資源の第１のＣＣＥインデックスを前記数式１を利用して各ＰＤＣＣＨが内包する周波数情報を獲得し、前記周波数情報を有するＰＤＣＣＨを利用して当該周波数帯域に割り当てられた資源を利用してデータ復調を実行する。
【００６０】
図１８は、本発明の第４実施形態によって各周波数帯域に割り当てられて伝送されたＰＤＣＣＨを処理する手続を示す流れ図である。
図１８を参照すれば、端末機は、段階１００２で、現在周波数帯域で受信されたＰＤＣＣＨがあるか否かを検査し、ＰＤＣＣＨがなければ、前記ＰＤＣＣＨ処理手続を終了する。しかし、受信されたＰＤＣＣＨがあれば、端末機は、段階１００２でこれを感知し、段階１００４で、１個以上の周波数帯域に資源割当のためのＰＤＣＣＨを前記数式１を使用して当該周波数のインデックスを獲得し、段階１００６で、獲得した周波数情報を利用して各周波数帯域の割当資源を利用してデータを復調した後、前記ＰＤＣＣＨ処理手続を終了する。
【００６１】
したがって、図１８のような手続を実行する本発明の第４実施形態において、端末機は、まず、現在周波数帯域で受信したＰＤＣＣＨ個数を確認し、１個あるいは複数のＰＤＣＣＨを受信した場合、各周波数帯域に資源割当のためのＰＤＣＣＨを前記数式１を使用して当該周波数のインデックスを獲得し、獲得した周波数情報を利用して各周波数帯域の割当資源を利用してデータを復調する。
【００６２】
前述したように、本発明は、直交周波数多重接続方式の複数の周波数帯域を運用する移動通信システムにおいてＣＣＥ（Control Channel Element）インデックスを利用して複数の資源割当のためのＰＤＣＣＨ（Physical Downlink Control Channel）伝送方法及び装置を提供する。このために、複数の周波数帯域の複数の資源割当のためのＰＤＣＣＨを伝送する周波数分割多重接続方式の移動通信システムの基地局は、複数の周波数帯域に複数の資源を割り当てるための複数のＰＤＣＣＨをＣＣＥインデックスを使用して生成して端末機に伝送し、端末機は、基地局に受信された複数のＰＤＣＣＨのＣＣＥインデックスを使用して端末が受信する複数の周波数帯域に複数の資源を認識して処理する。
【符号の説明】
【００６３】
１００・・・・・ＰＤＣＣＨ生成器
１１０・・・・・Ｆ１送信機
１１１−１・・・ＰＤＣＣＨ伝送部
１１２・・・・・ＰＤＣＣＨ選択機
１１３・・・・・ＩＦＦＴ
１１４・・・・・ＣＰ処理器
１１５・・・・・ＲＦ送信部
１１８・・・・・ＰＤＳＣＨ伝送部
１２０・・・・・Ｆ２送信機
１３０・・・・・Ｆ３送信機
１４０・・・・・Ｆ４送信機
【図１】
0005480262.tif 000004
【図２】
0005480262.tif 000005
【図３】
0005480262.tif 000006
【図４】
0005480262.tif 000007
【図５】
0005480262.tif 000008
【図６】
0005480262.tif 000009
【図７】
0005480262.tif 000010
【図８】
0005480262.tif 000011
【図９】
0005480262.tif 000012
【図１０】
0005480262.tif 000013
【図１１】
0005480262.tif 000014
【図１２】
0005480262.tif 000015
【図１３】
0005480262.tif 000016
【図１４】
0005480262.tif 000017
【図１５】
0005480262.tif 000018
【図１６】
0005480262.tif 000019
【図１７】
0005480262.tif 000020
【図１８】
0005480262.tif 000021